(57)【要約】      （修正有）【課題】各種排水設備に装着した際に、ハンチングとこれによる異常音の発生及びトラップ機能の低下を抑止又は防止することを可能にし、優れた静粛性を有する排水用トラップを提供する。【解決手段】排水用トラップ１は、下部開口を後方に向かって傾斜面となるよう形成された筒状のトラップ主体２と、トラップ主体２の前記下部開口の後部側を覆うように設けられた遮蔽板と、遮蔽板によって閉塞されない空間部を開閉する弁部材４で構成され、トラップ主体２に所要の間隔を存して下方に突出した状態で付設された一対の軸受け部材５，５に、それぞれ、支軸６が挿通される支軸挿通孔５ａ，５ａが形成されている。前記支軸挿通孔５ａ，５ａは、いずれも前記支軸６の軸方向から見て、前記傾斜の方向に所定の長さ延びる長軸を有する軸孔で構成されている。【選択図】図２
2020139264.tif 000002
【特許請求の範囲】
【請求項１】
下部開口を後方に向かって傾斜面となるよう形成された筒状のトラップ主体と、前記トラップ主体の前記下部開口の後部側を覆うように設けられた遮蔽板と、前記遮蔽板によって閉塞されない空間部を開閉する弁部材で構成され、
前記トラップ主体は、
所要の間隔を存して下方に突出した状態で付設された一対の軸受け部材を備え、
前記軸受け部材は、
それぞれ、支軸が挿通される支軸挿通孔を有し、
前記支軸挿通孔は、
前記支軸の軸方向から見て、前記トラップ主体の下部開口の傾斜方向に所定の長さ延びる長軸を有する軸孔で構成され、
前記弁部材は、前記軸受け部材間に前記支軸を介して揺動自在に軸支されていること
を特徴とする排水用トラップ。
【請求項２】
前記軸孔は、
さらに、その長軸方向前端部を、上方に所定の長さ延ばして構成されていること
を特徴とする請求項１に記載の排水用トラップ。
【請求項３】
前記支軸挿通孔は、
前記支軸の軸方向から見て、前記トラップ主体の下部開口の傾斜方向に所定の長さ延びる長軸を有する軸孔を形成し、前記軸孔の長軸方向前端部を上方に所定の長さ延ばすとともに、後端部を前方に所定の長さ延ばして互いに結合するよう形成した略三角形状の軸孔で構成されていること
を特徴とする請求項１に記載の排水用トラップ。
【請求項４】
前記弁部材は、
楕円形状を有する板状体を側面視へ字状に屈曲させ、面積の少ない一方側をバランスウエイトの装着部とし、他方側を前記トラップ主体の空間部の開閉部とし、前記トラップ主体の内周と接する部位が前記内周と同形に形成されたもので
前記弁部材の先端を、前記トラップ主体の前端と面一になるように構成するとともに、前記長さを、前記トラップ主体を構成する筒状体の肉厚よりも小さくなるように構成したこと
を特徴とする請求項１〜３のいずれかに記載の排水用トラップ。
【発明の詳細な説明】
【技術分野】
【０００１】
この発明は、各種排水設備の排水管の途中や管端に配置される排水用トラップに関するものである。
より具体的には、各種排水設備に設けて、排水を流通させる排水用トラップに関するもので、配管技術、さらには建造物の構築技術に属するものである。
【背景技術】
【０００２】
従来、排水用トラップとしてはＳ字トラップが一般的であったが、近年、Ｓ字トラップに代わり弁トラップ（メカニカルトラップ）が用いられるケースが増えてきた。
【０００３】
前記弁トラップは、揺動自在な弁体にバランスウエイトを設けて、排水が無い時はバランスウエイトによって弁体を閉鎖し、排水時には、排水の重量あるいは流水圧で弁体を開き、排水を流下させるものである。
このような排水用トラップの一例が、特許文献１に開示されている。
【０００４】
実公昭６３−２３４８９号公報（特許文献１）においては、大きなスペースがなくても排水管に接続でき、しかも、生ごみなどが詰まるおそれがなく安心して使用でき、悪臭の上昇を確実に防ぐことができることは勿論、虫やねずみの侵入も完全に阻止できる排水用トラップが提案されている。
【０００５】
この排水用トラップは、排水の流出口となる側の管口を傾斜させると共に、その傾斜面と鈍角をなす側の管壁に、該管口を傾斜面に沿って割円状に塞ぐ突出片を設け、この突出片に、該管口の外側へ向けて一対の支腕を設け、この両支腕に軸を架け渡し、一方、弁主体部と錘保持部とを側面形状がくの字形をなすように屈折した弁の、錘保持部に錘を固定し、この錘保持部を水平方向に位置して前記軸に該弁を揺動自在に取付け、錘によって弁主体部が突出片と一直線上に連なるようにして管口を塞ぐ方向に付勢したものである。
【先行技術文献】
【特許文献】
【０００６】
【特許文献１】実公昭６３−２３４８９号公報（実用新案登録請求の範囲，図２）
【発明の概要】
【発明が解決しようとする課題】
【０００７】
前記特許文献１に開示されている排水用トラップは、揺動弁体にバランスウエイトを設け、排水が無い時はバランスウエイトによって揺動弁体を閉鎖し、排水時には該排水の重量或いは流水圧で弁体が開き排水を流下させるものである。
したがって、この排水用トラップを、その使用（負圧環境や正圧環境下などでの使用を含む）の際、揺動弁体が管口に当接した際の反動で開き、上流側からの吸引力や吐出力などによって再度閉じる動作を繰り返す、いわゆるハンチングと、これによる異常音及びトラップの機能の低下が起こるおそれがある、という問題があった。
【０００８】
この発明はかかる現状に鑑み、使用の際に発生し得るハンチングとこれによる異常音の発生及びトラップ機能の低下を抑止又は防止することを可能にし、優れた静粛性を有する排水用トラップを提供せんとするものである。
【課題を解決するための手段】
【０００９】
前記目的を達成するため、この発明にかかる請求項１に記載の発明は、
下部開口を後方に向かって傾斜面となるよう形成された筒状のトラップ主体と、前記トラップ主体の前記下部開口の後部側を覆うように設けられた遮蔽板と、前記遮蔽板によって閉塞されない空間部を開閉する弁部材で構成され、
前記トラップ主体は、
所要の間隔を存して下方に突出した状態で付設された一対の軸受け部材を備え、
前記軸受け部材は、
それぞれ、支軸が挿通される支軸挿通孔を有し、
前記支軸挿通孔は、
前記支軸の軸方向から見て、前記トラップ主体の下部開口の傾斜方向に所定の長さ延びる長軸を有する軸孔で構成され、
前記弁部材は、前記軸受け部材間に前記支軸を介して揺動自在に軸支されていること
を特徴とする排水用トラップである。
【００１０】
この発明の請求項２に記載の発明は、
請求項１に記載の排水用トラップにおいて、
前記軸孔は、
さらに、その長軸方向前端部を、上方に所定の長さ延ばして構成されていること
を特徴とするものである。
【００１１】
この発明の請求項３に記載の発明は、
請求項１に記載の排水用トラップにおいて、
前記支軸挿通孔は、
前記支軸の軸方向から見て、前記トラップ主体の下部開口の傾斜方向に所定の長さ延びる長軸を有する軸孔を形成し、前記軸孔の長軸方向前端部を上方に所定の長さ延ばすとともに、後端部を前方に所定の長さ延ばして互いに結合するよう形成した略三角形状の軸孔で構成されていること
を特徴とするものである。
【００１２】
この発明の請求項４に記載の発明は、
請求項１〜３のいずれかに記載の排水用トラップにおいて、
前記弁部材は、
楕円形状を有する板状体を側面視へ字状に屈曲させ、面積の少ない一方側をバランスウエイトの装着部とし、他方側を前記トラップ主体の空間部の開閉部とし、前記トラップ主体の内周と接する部位が前記内周と同形に形成されたもので
前記弁部材の先端を、前記トラップ主体の前端と面一になるように構成するとともに、前記長さを、前記トラップ主体を構成する筒状体の肉厚よりも小さくなるように構成したこと
を特徴とするものである。
【発明の効果】
【００１３】
この発明の排水用トラップは、下部開口を後方に向かって傾斜面となるよう形成された筒状のトラップ主体と、前記トラップ主体の前記下部開口の後部側を覆うように設けられた遮蔽板と、前記遮蔽板によって閉塞されない空間部を開閉する弁部材で構成したものであって、前記トラップ主体に、所要の間隔を存して下方に突出した状態で一対の軸受け部材を付設し、前記軸受け部材に、それぞれ、支軸が挿通される支軸挿通孔を形成し、前記支軸挿通孔を、前記支軸の軸方向から見て、前記トラップ主体の下部開口の傾斜方向に所定の長さ延びる長軸を有する軸孔で構成し、前記弁部材が、前記軸受け部材間に前記支軸を介して揺動自在に軸支されるように構成したものである。
したがって、前記排水用トラップは、前記弁部材を揺動自在に支持する支軸が、前記支軸挿通孔内を移動可能に構成され、その使用に際しては、前記弁部材が所定の範囲内で移動することができるので、前記弁部材が管口に当接した際の反動で開き、上流側からの吸引力や吐出力などによって再度閉じる動作を繰り返すこと（ハンチング）とこれによる異常音の発生及びトラップ機能の低下を抑止又は防止することを可能にするという利点を有している。
【００１４】
さらに、前記排水用トラップにおいて、前記軸孔については、さらに、その長軸方向前端部を上方に所定の長さ延ばして構成することができる。
このような構成によって、ハンチングとこれによる異常音の発生及びトラップ機能の低下をより確実に抑止することができる。
【００１５】
さらに、前記排水用トラップにおいて、前記支軸挿通孔を、前記支軸の軸方向から見て、前記トラップ主体の下部開口の傾斜方向に所定の長さ延びる長軸を有する軸孔を形成し、前記軸孔の長軸方向前端部を上方に所定の長さ延ばすとともに、後端部を前方に所定の長さ延ばして互いに結合するよう形成した略三角形状の軸孔で構成することができる。
このような構成によって、ハンチングとこれによる異常音の発生及びトラップ機能の低下をより確実に抑止することができる。
【００１６】
さらに、前記排水用トラップにおいて、前記弁部材を、楕円形状を有する板状体を側面視へ字状に屈曲させ、面積の少ない一方側をバランスウエイトの装着部とし、他方側を前記トラップ主体の空間部の開閉部とし、前記トラップ主体の内周と接する部位が前記内周と同形に形成されたもので構成し、前記弁部材の先端を、前記トラップ主体の前端と面一になるように構成するとともに、前記長さを、前記トラップ主体を構成する筒状体の肉厚よりも小さくなるように構成することができる。
このような構成によって、排水がない場合、或いは前記弁部材を揺動させるに必要な排水量がない場合においては、前記弁部材と前記トラップ主体とが常時当接した状態にあるので、前記弁部材によって前記流出口が常時閉止された状態となる。
【図面の簡単な説明】
【００１７】
【図１】この発明にかかる排水用トラップの一例を示す分解斜視図である。
【図２】図１に示される排水用トラップの左側面図である。
【図３】図１に示される排水用トラップが備える軸受け部材の支軸挿通孔の一例を示す縦断面図である。
【図４】図１に示される排水用トラップが備える軸受け部材の支軸挿通孔の他の例を示す縦断面図である。
【発明を実施するための形態】
【００１８】
以下、この発明にかかる排水用トラップについて、添付の図面に基づいて具体的に説明する。
なお、この発明は開示された実施例にのみ限定されるものではなく、その要旨を変更しない範囲内において種々改良することができるものである。
【００１９】
図１は、この発明にかかる排水用トラップの一例を示す分解斜視図で、図２は、この排水用トラップの左側面図である。
この発明にかかる排水用トラップ１は、図１及び２に示すように、流出口２ｂとなる下部開口が斜めに傾斜したトラップ主体２と、このトラップ主体２の後部の下部開口部に設けられる遮蔽板３と、前記遮蔽板３の前縁部とトラップ主体２の内周面との間に形成される空間部を開閉自在とする弁部材４とから構成されている。
なお、前記弁部材４は、図１及び２に示すように、常時閉方向に付勢されるようバランスウエイトＢＷを備える。
【００２０】
前記排水用トラップ１は、ステンレスなどの金属材料や合成樹脂材料などの適当な材料で構成することができ、これを構成する材料については特段の制限はない。
【００２１】
前記トラップ主体２は、図１及び２に示すように、上部に流入口２ａを有する短い筒状体からなるもので、前記流入口２ａを囲繞して外方に向かってフランジ２ｃが一体的に形成され、その下部の流出口２ｂは、前面から後面に向かって斜め上方に傾斜する傾斜面を形成するようカットされたものである。
【００２２】
前記トラップ主体２の流出口２ｂの後部開口の内周面には、前記流出口２ｂの上部側を部分的に覆う半円状の遮蔽板３が固着されている。
【００２３】
前記遮蔽板３は、前記トラップ主体２内にバランスウエイトＢＷの収容スペースを確保すると共に、排水に弁部材４に沿う流れを生じさせるもので、排水の流水圧によって弁部材４が不必要に開くのを防止する機能も有するものである。
【００２４】
前記トラップ主体２の後部側には、一対の軸受け部材５，５が、所要の間隔を存して下方に突出した状態で付設され、この軸受け部材５，５間に軸支された支軸６に、舌片状の弁部材４が揺動自在に支持される。
【００２５】
なお、図１及び２において、前記軸受け部材５，５は、前記フランジ２ｃの後部側の下面に設けられているが、前記トラップ主体２に直接、又は遮蔽板３などの所定の部材を介して間接的に設けることができる。
【００２６】
前記軸受け部材５，５には、それぞれ、前記支軸６を挿通するための支軸挿通孔５ａ，５ａが形成されている。
【００２７】
図１〜３において、前記支軸挿通孔５ａは、前記支軸６の軸方向から見て、前記トラップ主体２の下部開口の傾斜方向に所定の長さ延びる長軸Ｍを有する長孔で構成されている。
このような構成によって、前記支軸６は、前記支軸挿通孔５ａ内を長軸Ｍ方向に沿って移動可能となっており、この支軸６の移動に伴って弁部材４も移動するので、ハンチングとこれによる異常音の発生及びトラップ機能の低下が抑止又は防止される。
【００２８】
前記支軸挿通孔５ａについては、さらに、前記長孔の長軸方向の前端部を上方に所定の長さ延ばして構成してもよい。
このように構成した場合には、前記支軸６は、排水がない場合、或いは前記弁部材６を揺動させるに必要な排水量がない場合には、前記支軸挿通孔５ａ内を長軸Ｍ方向、すなわち傾斜方向に沿って移動可能となる一方、前記弁部材６が前記流出口２ｂ側に押圧されて前記流出口２ｂが開口した場合には、前記支軸挿通孔５ａ内を、傾斜方向だけでなく上方にも移動可能となる。
したがって、前記支軸６の移動に伴って、前記弁部材６も上方及び傾斜方向に移動することが可能になるので、より確実にハンチングとこれによる異常音の発生及びトラップ機能の低下が抑止又は防止される。
【００２９】
なお、図４において、前記支軸挿通孔５ａは、前記支軸６の軸方向から見て、前記トラップ主体２の下部開口の傾斜方向に所定の長さ延ばして長軸Ｍを有する長孔を形成し、前記長孔の長軸方向の前端部を上方へ垂直に所定の長さ延ばすとともに、後端部を前方へ水平に所定の長さ延ばして互いに結合させて、略三角形状の軸孔を形成するよう構成されている。
この発明においては、前記支軸挿通孔５ａを、前記長孔の長軸方向の前端部を上方へ垂直に所定の長さ延ばすとともに、後端部を前方へ水平に所定の長さ延ばして互いに結合させることにより形成される略三角形状の軸孔で構成し、或いは前記長孔の長軸方向の前端部を上方へ垂直に所定の長さ延ばすとともに、その上端部を後方へ水平に所定の長さ延ばし、さらに下方に延ばして前記長孔と結合させることにより形成される略台形状の軸孔で構成することができる。
このように構成した場合には、前記軸孔からなる支軸挿通孔５ａに遊嵌された前記支軸６は、前記支軸挿通孔５ａ内を、上方及び傾斜方向のみならず水平方向にも移動可能となるので、より確実にハンチングとこれによる異常音の発生及びトラップ機能の低下が抑止又は防止される。
【００３０】
前記長さについては、排水がない場合、或いは前記弁部材４を揺動させるに必要な排水量がない場合において、前記弁部材４によって前記流出口２ｂが常時閉止されるように構成されている限り、特に制限はない。
なお、この実施例において、前記長さは、前記トラップ主体２を構成する筒状体の厚さ（肉厚）よりも小さくなるよう構成されている。
【００３１】
前記弁部材４は、図１及び２で明らかなように、前記トラップ主体２の内周と接する部位が前記内周と略同形に形成された、全体が略楕円状の弁主体４ａの基端側を、側面視「へ」字状になるよう折り曲げて屈曲部４ｂを形成し、前記屈曲部４ｂにバランスウエイトＢＷを装着するための貫通孔４ｃ，４ｃが形成されるとともに、前記屈曲部４ｂの真上近傍に、揺動のための支軸６を挿通する軸受け（保持部）４ｄ,４ｄを設けたものである。
【００３２】
図１及び２において、前記弁主体４ａは、前記支軸６が前記支軸挿通孔５ａの前端部に位置している場合には、その先端が、前記トラップ主体２の前端と面一になるよう構成され、かつ前記前記支軸挿通孔５ａは、前記延長された長さが前記トラップ主体２を構成する筒状体の厚さ（肉厚）よりも小さくなるよう構成されている。
したがって、排水がない場合、或いは前記弁部材４を揺動させるに必要な排水量がない場合には、前記弁部材４は、前記トラップ主体２と常時当接した状態にあるので、前記弁部材４によって前記流出口２ｂが常時閉止される。
【００３３】
前記バランスウエイトＢＷは、前記弁部材４を常時閉方向に付勢するためのもので、排水の水圧若しくは流量がバランスウエイトＢＷの重量より多くなった場合には、バランスウエイトＢＷはその付勢力を失くすので、前記弁部材４が開き、排水が、流出口２ｂから流出する。
なお、前記バランスウエイトＢＷは、前記反動や吸引力、吐出力などによるハンチングなどが起こっていない状態において、前記支軸６が常時、前記支軸挿通孔５ａの前端部又は前方下端部に位置するようにするためのものでもある。
【００３４】
図１において、前記バランスウエイトＢＷは、その表面にネジ止め孔７，７を形成するとともに、前記弁部材４の屈曲部４ｂの、前記ネジ止め孔７，７に対応する位置に貫通孔４ｃ，４ｃを貫通形成し、前記弁部材４の屈曲部４ｂに前記バランスウエイトＢＷを取り付けて、固定ネジ８，８を貫通孔４ｃ，４ｃに貫通させてネジ止め孔７，７に累着させることにより固定されているが、その固定方法には特段の制限はなく、溶接若しくはカシメなどの公知の手段によって固定することができる。
【００３５】
かかる構成部材からなる排水用トラップ１は、前記弁部材４の軸受け４ｄ、４ｄに配した前記支軸６を、前記トラップ主体２が備える軸受け部材５，５の支軸挿通孔５ａ，５ａに挿通して、前記軸受け部材５，５に軸支させ、前記弁部材４を揺動自在とする。
【００３６】
したがって、配管経路に配された排水用トラップ１においては、図２に実線で示すように、排水がない場合、或いは前記弁主体４ａを揺動させるに必要な排水量がない場合には、前記弁主体４ａは、バランスウエイトＢＷの作用によって常に遮蔽板３の先端部と当接し、流出口２ｂを閉止しているので、排水管（図示せず）側には排水は流れない。
【００３７】
一方、図２に示すように、各種排水設備からの排水が流入口２ａから流入し、前記トラップ主体２内に溜り、滞留した排水の重力又は流れ込む排水の流水圧によって、前記バランスウエイトＢＷの付勢力に抗して弁主体４ａが流出口２ｂ側に押圧されると、前記弁主体４ａは支軸６を支点として、図２の鎖線に示すように下方に揺動して前記流出口２ｂが開口する。
前記流出口２ｂが開口すると、前記トラップ主体２内に流入した、或いは溜まった排水は、流出口２ｂを介して排出される。
【００３８】
その後、前記弁主体４ａに対する水圧が解消されると、弁主体４ａは、その基端部に付設したバランスウエイトＢＷの作用によって、前記支軸６を支点として上方に回動して前記流出口２ｂを閉止する。
【００３９】
この発明の排水用トラップにおいては、前記弁部材４を揺動自在に支持する支軸６は、通常、前記支軸挿通孔５ａの前端部又は前方下端部に位置しているが、この支軸６は、弁部材４がトラップ主体２の下部開口に当接した際の反動や、上流側からの吸引力や吐出力などが生じた場合には、前記支軸挿通孔５ａ内を移動するので、ハンチングとこれによる異常音の発生及びトラップ機能の低下を抑止又は防止できる。
なお、前記反動や吸引力、吐出力などによる影響がなくなった後には、前記支軸挿通孔５ａが略三角形や略台形状などの、前記支軸６の外径よりも大きい軸孔で構成されている場合であっても、前記支軸６は、前記バランスウエイトＢＷの作用（自重）によって、定位置、すなわち、前記支軸挿通孔５ａの前端部又は前方下端部に戻ることになる。
【産業上の利用可能性】
【００４０】
この発明にかかる排水用トラップは、各種排水設備から排出される水（排水）を、下方に排出する配管経路や管端に装着して使用することができるもので、優れた静粛性を有し、配管を取り外すことなくメンテナンスや清掃が可能である。
したがって、各種排水設備の排水を必要とする部位に使用することが可能であるため、広い産業分野で利用される可能性を有するものである。
【符号の説明】
【００４１】
１              排水用トラップ
２              トラップ主体
２ａ            流入口
２ｂ            流出口
２ｃ            フランジ部
３              遮蔽板
４              弁部材
４ａ            弁主体
４ｂ            屈曲部
４ｃ            貫通孔
４ｄ            軸受け（保持部）
４ｅ            折曲げ部
５              軸受け部材
５ａ            支軸挿通孔
ＢＷ            バランスウエイト
６              支軸
７              ネジ止め孔
８              固定ネジ
Ｍ              長軸
【図１】
2020139264.tif 000003
【図２】
2020139264.tif 000004
【図３】
2020139264.tif 000005
【図４】
2020139264.tif 000006
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
下部開口を後方に向かって傾斜面となるよう形成された筒状のトラップ主体と、前記トラップ主体の前記下部開口の後部側を覆うように設けられた遮蔽板と、前記遮蔽板によって閉塞されない空間部を開閉する弁部材で構成され、
前記トラップ主体は、
所要の間隔を存して下方に突出した状態で付設された一対の軸受け部材を備え、
前記軸受け部材は、
それぞれ、支軸が挿通される支軸挿通孔を有し、
前記支軸挿通孔は、
前記支軸の軸方向から見て、前記トラップ主体の下部開口の傾斜方向に所定の長さ延びる長軸を有する長孔を形成し、前記長孔の長軸方向前端部を上方に所定の長さ延ばすとともに、後端部を前方に所定の長さ延ばして互いに結合するよう形成した略三角形状の軸孔、或いは前記長孔の長軸方向前端部を上方へ垂直に所定の長さ延ばすとともに、その上端部を後方へ水平に所定の長さ延ばし、さらに下方に延ばして前記長孔と結合させることにより形成される略台形状の軸孔で構成され、
前記弁部材は、前記軸受け部材間に前記支軸を介して揺動自在に軸支されていること
を特徴とする排水用トラップ。
【請求項２】
前記長さは、
前記トラップ主体を構成する筒状体の肉厚よりも小さいこと
を特徴とする請求項１に記載の排水用トラップ。
【請求項３】
前記弁主体は、
前記支軸が前記支軸挿通孔の前端部に位置している状態において、その先端が、前記トラップ主体の前端と面一になるよう構成されていること
を特徴とする請求項２に記載の排水用トラップ。
【請求項４】
前記弁部材は、
楕円形状を有する板状体を側面視へ字状に屈曲させ、面積の少ない一方側をバランスウエイトの装着部とし、他方側を前記トラップ主体の空間部の開閉部とし、前記トラップ主体の内周と接する部位が前記内周と同形に形成されたもので
前記弁部材の先端を、前記トラップ主体の前端と面一になるように構成するとともに、前記長さを、前記トラップ主体を構成する筒状体の肉厚よりも小さくなるように構成したこと
を特徴とする請求項１に記載の排水用トラップ。
【手続補正２】
【補正対象書類名】明細書
【補正対象項目名】０００９
【補正方法】変更
【補正の内容】
【０００９】
前記目的を達成するため、この発明にかかる請求項１に記載の発明は、
下部開口を後方に向かって傾斜面となるよう形成された筒状のトラップ主体と、前記トラップ主体の前記下部開口の後部側を覆うように設けられた遮蔽板と、前記遮蔽板によって閉塞されない空間部を開閉する弁部材で構成され、
前記トラップ主体は、
所要の間隔を存して下方に突出した状態で付設された一対の軸受け部材を備え、
前記軸受け部材は、
それぞれ、支軸が挿通される支軸挿通孔を有し、
前記支軸挿通孔は、
前記支軸の軸方向から見て、前記トラップ主体の下部開口の傾斜方向に所定の長さ延びる長軸を有する長孔を形成し、前記長孔の長軸方向前端部を上方に所定の長さ延ばすとともに、後端部を前方に所定の長さ延ばして互いに結合するよう形成した略三角形状の軸孔、或いは前記長孔の長軸方向前端部を上方へ垂直に所定の長さ延ばすとともに、その上端部を後方へ水平に所定の長さ延ばし、さらに下方に延ばして前記長孔と結合させることにより形成される略台形状の軸孔で構成され、
前記弁部材は、前記軸受け部材間に前記支軸を介して揺動自在に軸支されていること
を特徴とする排水用トラップである。
【手続補正３】
【補正対象書類名】明細書
【補正対象項目名】００１０
【補正方法】変更
【補正の内容】
【００１０】
この発明の請求項２に記載の発明は、
請求項１に記載の排水用トラップにおいて、
前記長さは、
前記トラップ主体を構成する筒状体の肉厚よりも小さいこと
を特徴とするものである。
【手続補正４】
【補正対象書類名】明細書
【補正対象項目名】００１１
【補正方法】変更
【補正の内容】
【００１１】
この発明の請求項３に記載の発明は、
請求項２に記載の排水用トラップにおいて、
前記弁主体は、
前記支軸が前記支軸挿通孔の前端部に位置している状態において、その先端が、前記トラップ主体の前端と面一になるよう構成されていること
を特徴とするものである。
【手続補正５】
【補正対象書類名】明細書
【補正対象項目名】００１２
【補正方法】変更
【補正の内容】
【００１２】
この発明の請求項４に記載の発明は、
請求項１に記載の排水用トラップにおいて、
前記弁部材は、
楕円形状を有する板状体を側面視へ字状に屈曲させ、面積の少ない一方側をバランスウエイトの装着部とし、他方側を前記トラップ主体の空間部の開閉部とし、前記トラップ主体の内周と接する部位が前記内周と同形に形成されたもので
前記弁部材の先端を、前記トラップ主体の前端と面一になるように構成するとともに、前記長さを、前記トラップ主体を構成する筒状体の肉厚よりも小さくなるように構成したこと
を特徴とするものである。